(57)【要約】【課題】点光りの発生を防いで点灯フィーリングの悪化を防ぐことができる導光体を提供すること。【解決手段】リフレクタ２に取り付けられ、長手方向端部の入射面３ｂから入射する光を全反射させながら長手方向に沿って導く過程で、背面に形成されたカット面３ｄで反射させ、その反射光を正面に形成された出射面３ｃから出射させることによって発光する導光体６の背面に取付リブ３Ａを背面方向に向けて突設し、該取付リブ３Ａに形成されたフック孔３ａ（又はフック）に前記リフレクタ２に形成されたフック２ａ（又はフック孔）を係合させることによって該導光体３を前記リフレクタ２に取り付ける。【選択図】図４
2017041388.tif 000002
【特許請求の範囲】
【請求項１】
リフレクタに取り付けられ、長手方向端部の入射面から入射する光を全反射させながら長手方向に沿って導く過程で、背面に形成されたカット面で反射させ、その反射光を正面に形成された出射面から正面方向に出射させることによって発光する導光体であって、
背面に取付リブを背面方向に向けて突設し、該取付リブに形成されたフック孔又はフックに前記リフレクタに形成されたフック又はフック孔を係合させることによって前記リフレクタに取り付けられることを特徴とする導光体。
【発明の詳細な説明】
【技術分野】
【０００１】
本発明は、長手方向端部の入射面から入射する光を長手方向に沿って導く過程で反射させて出射面から出射させることによって発光する導光体に関するものである。
【背景技術】
【０００２】
例えば、車両用灯具には、光源と、該光源からの光を長手方向端部の入射面から入射させて周面の出射面から出射させることによって発光する導光体を備えたものがある（例えば、特許文献１参照）。
【０００３】
例えば、車両の後部左右に配置されるテールランプには、ＬＥＤ等の光源と、この光源からの光によって発光する導光体と、光源や導光体を収容するリフレクタを含んで構成されるものがある。ここで、導光体においては、長手方向端面は入射面とされ、正面は出射面とされ、背面はカット面とされている。そして、カット面には、複数のカットが長手方向に沿って連続的に形成されている。又、導光体の入射面の近傍には、光源が入射面に対向して配置されている。
【０００４】
而して、導光体を備えるテールランプにおいては、光源が発光すると、その光は、導光体の入射面から該導光体の内部に入射し、導光体の内部を全反射しながら長手方向に沿って進み、その過程で背面のカット面で反射して出射面から正面に向かって出射するため、導光体の全体が発光する。
【先行技術文献】
【特許文献】
【０００５】
【特許文献１】特開２０１２−２４３５３９号公報
【発明の概要】
【発明が解決しようとする課題】
【０００６】
ところで、テールランプ等において、導光体をリフレクタに取り付ける方式としてフック方式を採用する場合には、例えば、導光体に形成された取付リブのフック孔にリフレクタに突設されたフックを係合させることによって、導光体をリフレクタに固定することが行われている。この場合、取付リブが導光体の出射面側に設けられていると、この取付リブが出射光によって点光りするために点灯フィーリングの悪化を招くという問題が発生する。
【０００７】
本発明は上記問題に鑑みてなされたもので、その目的とする処は、点光りの発生を防いで点灯フィーリングの悪化を防ぐことができる導光体を提供することにある。
【課題を解決するための手段】
【０００８】
上記目的を達成するため、本発明は、リフレクタに取り付けられ、長手方向端部の入射面から入射する光を全反射させながら長手方向に沿って導く過程で、背面に形成されたカット面で反射させ、その反射光を正面に形成された出射面から出射させることによって発光する導光体の背面に取付リブを背面方向に向けて突設し、該取付リブに形成されたフック孔又はフックに前記リフレクタに形成されたフック又はフック孔を係合させることによって該導光体を前記リフレクタに取り付けたことを特徴とする。
【発明の効果】
【０００９】
本発明によれば、導光体の背面に取付リブを背面方向（光の出射方向とは反対方向）に向けて突設したため、この取付リブが出射光によって点光りすることがなく、導光体の点灯フィーリングの悪化が防がれる。
【図面の簡単な説明】
【００１０】
【図１】車両用灯具の分解斜視図である。
【図２】本発明に係る導光体の斜視図である。
【図３】本発明に係る導光体の正面図である。
【図４】図３のＡ−Ａ線断面図である。
【発明を実施するための形態】
【００１１】
以下に本発明の実施の形態を添付図面に基づいて説明する。
【００１２】
図１は車両用灯具の分解斜視図、図２は本発明に係る導光体の斜視図、図３は同導光体の正面図、図４は図３のＡ−Ａ線断面図である。
【００１３】
図１に示す車両用灯具１は、車両の後部左右に配置されるテールランプとして使用されるものであって、正面視Ｌ字状を成すリフレクタ２に同じく正面視Ｌ字状を成す導光体３を組み込んで構成されている。
【００１４】
上記リフレクタ２には、正面側に開口する正面視Ｌ字状の収納溝２Ａが形成されており、この収納溝２Ａには、導光体３が図１に矢印にて示すように正面側から組み込まれて収納される。ここで、図２に示すように、導光体３の背面の複数箇所には取付リブ３Ａが背面方向に向かって水平に突設されており、各取付リブ３Ａには矩形のフック孔３ａがそれぞれ形成されている。
【００１５】
他方、図４に示すように、リフレクタ２に形成された収納溝２Ａの内面の複数箇所（導光体３の取付リブ３Ａに形成されたフック孔３ａに対応する箇所）には爪状のフック２ａが一体に形成されており、導光体３を前述のようにリフレクタ２の収納溝２Ａに正面側から組み込むと、該導光体３の取付リブ３Ａに形成されたフック孔３ａにリフレクタ２側のフック２ａが係合するため、導光体３がリフレクタ２に確実に取り付けられて該リフレクタ２の収納溝２Ａに収納される。尚、本実施の形態では、リフレクタ２は不透明樹脂によって一体成形されており、その収納溝２Ａの内面にはアルミ蒸着等の反射処理が適宜施されている。
【００１６】
ところで、図３に示すように、導光体３は、導光性の高いアクリルやポリカーボネイト等の透明樹脂によって正面視Ｌ字状に一体成形されており、長手方向両端面は平坦な入射面３ｂとされており、各入射面３ｂの近傍には、光源である不図示のＬＥＤが各入射面３ｂに対向してそれぞれ配置されている。そして、この導光体３には、入光部である入射面３ｂから遠い位置に正面視コの字状に屈曲する屈曲部３Ｂが形成されている。
【００１７】
又、この導光体３においては、図４に示すように、その正面には、横断面形状が半円を成す円弧凸曲面状の２つの出射面３ｃが形成されており、背面の各出射面３ｃに対応する箇所にはカット面３ｄがそれぞれ形成されている。尚、各カット面３ｄには複数のカット（図示せず）が長手方向に沿って連続的に形成されている。
【００１８】
而して、以上のように構成された車両用灯具１において、各ＬＥＤが発光すると、その光は、導光体３の各入射面３ｂから該導光体３の内部に入射し、導光体３の内部を全反射しながら長手方向に沿って互いに逆方向に進み、その過程で背面のカット面３ｄで反射して出射面３ｃから正面に向かって出射するため、導光体３の全体が発光する。この場合、導光体３の背面に取付リブ３Ａを背面方向（光の出射方向とは反対方向）に向けて突設したため、この取付リブ３Ａが出射光によって点光りすることがなく、導光体３の点灯フィーリングの悪化が防がれる。尚、導光体３から背面側に漏れ出た光は、リフレクタ２で反射して導光体３の内部に再入射して該導光体３の発光に供せられるため、ＬＥＤからの光の利用効率が高められる。
【００１９】
そして、テールランプとして使用される図１に示す車両用灯具１においては、前述のように導光体３が明るく均一に発光するため、当該車両用灯具１の良好な点灯が実現してその視認性が高められる。
【００２０】
尚、以上の実施の形態では、リフレクタ２にフック２ａを形成し、導光体３の取付リブ３Ａにフック孔３ａを形成したが、これとは逆にリフレクタ２にフック孔を形成し、導光体３の取付リブにフックを形成して両者を係合させるよう構成しても良い。又、以上は本発明をテールランプとして使用される車両用灯具とこれに設けられた導光体に対して適用した形態について説明したが、本発明は、他の任意の車両用灯具とこれに設けられた導光体に対しても同様に適用可能であることは勿論である。
【符号の説明】
【００２１】
１        車両用灯具
２        リフレクタ
２Ａ      リフレクタの収納溝
２ａ      リフレクタのフック
３        導光体
３Ａ      導光体の取付リブ
３Ｂ      導光体の屈曲部
３ａ      導光体のフック孔
３ｂ      導光体の入射面
３ｃ      導光体の出射面
３ｄ      導光体のカット面
【図１】
2017041388.tif 000003
【図２】
2017041388.tif 000004
【図３】
2017041388.tif 000005
【図４】
2017041388.tif 000006